(57)【特許請求の範囲】
【請求項１】
家具に設けた開口部を覆う面積を持ち、少なくとも直交する二辺が直線状に形成された樹脂製薄板のキャップ本体に、前記直線状の二辺で構成される角部を切除するための角部用切り取り用溝と、角部用切り取り用溝に交差し、その直線状の一辺に沿って幅木の厚みに一致した幅で形成されている幅木用切り取り用溝とが刻設され、且つキャップ本体の裏面側には幅木の高さを超える上側の短辺に近い部分と、床面に接する下側の短辺近くとに前記開口部の開口縁に係止される係止舌片を突設したことを特徴とする家具の開口部閉塞用のキャップ部材。
【請求項２】
直線状の二辺の反対側の二辺と、角部用切り取り用溝及び幅木用切り取り用溝で囲まれた領域に、家具に設けた取付用穴に取り付けるための突起を設けたことを特徴とする請求項１に記載の家具の開口部閉塞用のキャップ部材。
【請求項３】
幅木用及び角部用切り取り用溝、及び、角部用切り取り用溝と直線状の二辺とで囲まれ
る領域、並びに、幅木用切り取り用溝と幅木用切り取り用溝に平行な直線状の一辺との間
の領域で、該直線状の一辺に直交するもう一つの直線状の一辺から最も背の高い幅木の高
さを超える部位までの領域を切除部とし、この切除部が軟質樹脂で形成されていることを
特徴とする請求項１又は２に記載の家具の開口部閉塞用のキャップ部材。
【請求項４】
キャップ本体の、家具と接する面に害虫忌避剤を塗着したことを特徴とする請求項１〜
３のいずれかに記載の家具の開口部閉塞用のキャップ部材。
【請求項５】
キャップ本体に害虫忌避剤を練り込んだことを特徴とする請求項１〜３のいずれかに記
載の家具の開口部閉塞用のキャップ部材。
【発明の詳細な説明】
【技術分野】
【０００１】
本発明は、家具の側板や棚板に設けられた幅木や配線よけの切り欠きを閉塞するためのキャップ部材に関する。
【背景技術】
【０００２】
従来から室内の壁の下部には幅木が施工されている。最近では、地震対策のため家具を壁面に隙間なく密着させて設置することが行われており、そのために家具の側板の背面側下端部に幅木を避けるための切り欠きを設けることが、幅木よけ加工として一般的に実施されている（非特許文献１）。
【０００３】
この幅木よけ加工は家具の製作時に予め設けられる場合もあるが、後加工で行われることもあり、その場合でも幅木よけ加工の切り欠き寸法は概ね決まっているので、幅木の寸法によっては切り込まれた家具の側板と幅木との間に隙間が生じて見栄えが悪いという問題点があった。
【０００４】
また、家具によっては内部にオーディオやテレビ或いは照明器具のような家電製品を収納する場合もあり、棚を通って内部から外部に配線を引き出すための開口が必要となり、棚の奥角部や側板の前記幅木よけ加工に合わせて配線引き出し用の切欠を設けることが行われており、この部分が外部から視認される場合には更に見栄えが悪いという問題点があった。
【先行技術文献】
【非特許文献】
【０００５】
【非特許文献１】http://www.hondanaya.com/SHOP/baseboard.html
【発明の概要】
【発明が解決しようとする課題】
【０００６】
本発明の課題は、家具の棚や側板に設けられた幅木よけ用や配線用の開口部を、幅木が設けられている場合には幅木に合わせて、幅木なしの場合には該開口部全体を閉塞することが出来るキャップ部材を提供することである。
【課題を解決するための手段】
【０００７】
本発明における第１の発明は、「家具１に設けた開口部２を覆う面積を持ち、少なくとも直交する二辺１２、１３が直線状に形成された樹脂製薄板のキャップ本体１１に、前記直線状の二辺１２、１３で構成される角部１４を切除するための角部用切り取り用溝１６と、角部用切り取り用溝１６に交差し、その直線状の一辺１２に沿って幅木２０の厚みＴに一致した幅で形成されている幅木用切り取り用溝１５とが刻設され、且つキャップ本体１１の裏面側には幅木２０の高さＨを超える上側の短辺１３ａに近い部分と、床面２１に接する下側の短辺１３近くとに前記開口部２の開口縁に係止される係止舌片１８ａ、１８ｂを突設した」ことを特徴とする家具の開口部閉塞用のキャップ部材１０である。
【０００８】
本発明における第２の発明は、上記第１の発明において、「直線状の二辺１２、１３の反対側の二辺１２ａ、１３ａと、角部用切り取り用溝１６及び幅木用切り取り用溝１５で囲まれた領域に、家具１に設けた取付用穴３に取り付けるための突起１７を設けた」ことを特徴とする家具の開口部閉塞用のキャップ部材１０である。
【０００９】
本発明における第３の発明は、上記第１又は２の発明において、「幅木用及び角部用切り取り用溝１５、１６、及び、角部用切り取り用溝１６と直線状の二辺１２、１３とで囲まれる領域、並びに、幅木用切り取り用溝１５と幅木用切り取り用溝１５に平行な直線状の一辺１２との間の領域で、該直線状の一辺１２に直交するもう一つの直線状の一辺１３から最も背の高い幅木２０の高さＨを超える部位までの領域を切除部１１ｂとし、この切除部１１ｂが軟質樹脂で形成されている」ことを特徴とする家具の開口部閉塞用のキャップ部材１０である。
【００１０】
本発明における第４の発明は、上記第１〜３の発明において、「キャップ本体１１の、家具１と接する面に害虫忌避剤を塗着した」ことを特徴とする家具の開口部閉塞用のキャップ部材１０である。
【００１１】
本発明における第５の発明は、上記第１〜３の発明において、「キャップ本体１１に害虫忌避剤を練り込んだ」ことを特徴とする家具の開口部閉塞用のキャップ部材１０である。
【発明の効果】
【００１２】
本発明では、直線状の一辺１２に沿って幅木用切り取り用溝１５が形成されているので、キャップ本体１１の床面２１と接する辺１３から、幅木２０の高さＨに合致する部位まで、幅木用切り取り用溝１５を利用して切断し、次いで、当該位置から角部用切り取り用溝１６と平行な直線状の一辺１２まで切断することで、幅木２０に合わせてキャップ部材１０の幅木よけ部分を簡単且つ正確に現場で切り取ることができる。  
特に、側板１ａに嵌め込まれたキャップ部材１０の係止舌片１８ａ、１８ｂは、開口部２の開口縁にその凹凸が係合して、この部分でもキャップ部材１０が開口部２に固着する。これにより、側板１ａに形成された開口部２はキャップ部材１０に閉塞されることになり、優れた外観を呈する事となる。
【００１３】
同様に、前記直線状の二辺１２、１３で構成される角部１４を切除するための切り取り用溝１６を設けているので、この切り取り用溝１６を利用すれば、配線孔としての切欠１ｃだけの場合は勿論、配線孔としての切欠１ｃと幅木よけとしての切欠１ｂが設けられた場合の両方に対応して切除することができ、これによって側板１ａの開口部２を外観良く塞ぐことができる。勿論、幅木２０のない場合は、切除せずそのまま装着すればよい。
【００１４】
そして、この時、切除部１１ｂを軟質樹脂で形成しておけば、カッターのようなもので簡単に切除が行えるだけでなく、切除部１１ｂの縁が幅木２０に接触する際に、この軟質樹脂が幅木２０に密着して幅木２０との間の隙間の発生を防ぐことができる。
【００１５】
なお、キャップ本体１１の非切除部１１ａの大部分である、直線状の二辺１２、１３の反対側の二辺１２ａ、１３ａと、角部用切り取り用溝１６及び幅木用切り取り用溝１５で囲まれた領域に、突起１７を設けておけば、この突起１７を家具１に設けた取付用穴３に挿入するだけでキャップ部材１０で家具１の開口部２を簡単に塞ぐことができる。また、害虫忌避剤を塗着又は練り込んでおけば家具１の背面に入りこもうとする害虫も防除できる。
【図面の簡単な説明】
【００１６】
【図１】幅木が設けられている場合の本発明のキャップ部材の装着状態を示す斜視図である。
【図２】幅木が設けられ、且つ、配線を引き出した場合の本発明のキャップ部材の装着状態を示す斜視図である。
【図３】幅木が設けられていない場合の本発明のキャップ部材の装着状態を示す斜視図である。
【図４】家具の棚に設けられた開口部を本発明のキャップ部材で塞ぐ場合の斜視図である。
【図５】本発明のキャップ部材の背面図である。
【図６】図４の部分拡大側面図である。
【図７】本発明のキャップ部材の切り取り用溝の部分拡大断面図である。
【発明を実施するための形態】
【００１７】
以下、本発明を図示実施例に従って詳述する。本発明のキャップ部材１０が適用される家具１は、壁面２２に沿って配置されるような本棚、テレビ台、飾り棚、書棚などの壁面収納家具で、側板１ａの背面側下端部に少なくとも幅木よけの切欠１ｂが形成されている。図１〜３の場合は、配線用切欠１ｃも形成されている。
【００１８】
また、図４に示すように家具１にテレビや照明器具その他、収納された家電に給電するためのコンセントなどが配置される場合があり、この場合これらの配線２３を背面板１ｈに沿わせて配線するための切欠１ｎが必要に応じて設けられている。これら切欠１ｂ、１ｃ及び１ｎを合わせて開口部２とする。
【００１９】
幅木２０は、床２１と接する壁面２２の最下部に帯状に取り付けられる仕上げ材で、壁面２２の保護及び壁面２２と床２１の見切り材として用いられるものである。通常、木、石、タイル、テラゾー、プラスチックなどが使われる。厚みＴ及びその高さＨはあらゆるサイズのものがあるが、一般的には、高さで４５ｍｍ〜６０ｍｍの範囲内であり、厚みは７ｍｍ〜９ｍｍである。
【００２０】
配線用の切欠１ｎはプラグが通過できる大きさであればよく、高さで３５ｍｍ程度、幅で１４ｍｍ程度である。従って、開口部２の最大高さは６０ｍｍ、最大幅は２３ｍｍ程度で、この場合は段状に形成されている。
【００２１】
キャップ部材１０は樹脂製で、そのキャップ本体１１は薄板で、前記開口部２の最大高さＨ及び最大厚みＴをカバーできる大きさであればよく、本実施例ではキャップ本体１１の高さを９０ｍｍ〜１００ｍｍ、幅を３０ｍｍ〜４０ｍｍの長方形とした。勿論、その形状は長方形に限られず、キャップ部材１０の設置場所が家具１の側板１ａの背面側下端部であるから、少なくとも直交する隣接する二辺１２、１３が直線状に形成された形状を持てば足る。本実施例ではキャップ本体１１は上記のように長方形で、床面と壁面に接する二辺１２、１３（これらを長辺１２、短辺１３と呼ぶ場合もある。）、及びその反対側の二辺１２ａ、１３ａも直線状に形成されており、反対側の二辺１２ａ、１３ａのコーナー部分が円弧状に形成され、且つ、前記二辺１２ａ、１３ａの表面側の縁は全長にわたって先端に近づくにつれて次第に薄肉となるテーパー面１９となるように形成されている。そして、キャップ本体１１の直線状の長辺１２に沿って幅木２０の厚みＴに一致した幅木用切り取り用溝１５が全長に亙って形成されている。本実施例では、最薄肉の幅木と最厚肉の幅木に合わせた２本の幅木用切り取り用溝１５（本実施例では、最厚肉の幅木に対応するものを(15a)、最薄肉の幅木２０に対応するものを(15b)で区別する。）が前記長辺１２に沿って形成されている。勿論、本数は２本に限られず、１本でもよいし、３本以上でもよい。
【００２２】
また、壁面２２、床面２１にそれぞれ接する長、短辺１２、１３の直交する角部１４には、この角部１４を切り取ることが出来るようにＬ形の角部用切り取り用溝１６が刻設されている。そして、幅木用切り取り用溝１５に直交する角部用切り取り用溝１６の横方向切り取り用溝１６ｂが長辺１２から幅木用切り取り用溝１５を超えて設けられ、更にその先端から直角に曲がって連続的に形成された長辺１２ａに平行な縦方向切り取り用溝１６ａが短辺１３に至る。両切り取り用溝１５、１６の断面形状はカッターの刃をガイドしやすいようにキャップ本体１１の厚みの半分程度の深さで横断面Ｖ字状に形成されている（図７参照）。
【００２３】
そして、キャップ部材１０全体をＡＢＳのような硬質樹脂で形成してもよいし、キャップ本体１１において、幅木用及び角部用切り取り用溝１５、１６、及び、角部用切り取り用溝１６と直線状の二辺１２、１３とで囲まれる領域、並びに、最厚肉幅木用切り取り用溝１５ａと該最厚肉幅木用切り取り用溝１５ａに平行な直線状の一辺１２との間の領域で、該直線状の一辺１２に直交するもう一つの直線状の一辺１３（即ち、床面(21)に接する辺１３）から最も背の高い幅木２０の高さＨを超える部位までの領域の和が切除部１１ｂであり、この切除部１１ｂをスチロール樹脂のような軟質樹脂で形成し、その余の部分を非切除部１１ａとし、前記硬質樹脂で形成してもよい。キャップ部材１０全体をＡＢＳのような硬質樹脂で形成したとしても、切り取り溝１５、１６によりカッターでの切断は可能である。
【００２４】
キャップ本体１１の裏面側には最薄肉幅木用の切り取り用溝１５ｂと長辺１２との間における非切除部１１ａ、即ち、短辺１３から最も背の高い幅木２０の高さＨを超える位置で、上側の短辺１３ａに近い部分に前記短辺１３ａに平行に係止舌片１８ａが突設されている。また、縦方向切り取り用溝１６ａと長辺１２ａとの間で、該縦方向切り取り用溝１６ａの近傍に短辺１３に接するように係止舌片１８ｂが突設されている。両係止舌片１８ａ、１８ｂの短辺１３ａ、及び長辺１２ａ側の面には、これら長、短辺１２ａ、１３ａに平行な係止用凹凸１８ｃがそれぞれ形成されている。
【００２５】
また、キャップ本体１１の裏面側にて長辺１３ａの縁には所定の間隔をあけて突起１７が少なくとも上下に２カ所突設されている。突起１７は先端に行く程、僅かに細くなる円柱である。勿論、突起１７の形状は円柱に限られず、前述同様先細の角柱その他適宜の先細の形状の柱部材を採用することができる。
【００２６】
しかして、図１に示すように、幅木２０が設けられている壁面２２に沿わせて家具１を配置すると、側板１ａの背面側下端部において、家具１の側板１ａに形成された開口部２の切欠１ｂに幅木２０が入り込む。そして、開口部２には配線用切欠１ｃも形成されているので、開口部２と幅木２０との間に隙間が生じる。そこで、幅木２０に適合する幅木用切り取り用溝１５を選択し、下側の短辺１３から幅木２０の高さＨに合わせて幅木用切り取り用溝１５にカッターを入れて必要な高さＨだけ切断し、続いてその切断端部から直角に長辺１２に向けてカッターを入れ、当該部分を切除する。この時、切除部１１ｂが軟質部材で構成されている場合は、非常に切断が容易になる。しかも、切断端部には軟質樹脂が残留している。
【００２７】
この状態で、キャップ部材１０の突起１７に合わせて側板１ａに取付用穴３を穿設し（或いは既に穿設されている場合もある。）、最後にキャップ部材１０の突起１７を前記取付用穴３に圧入又は挿入後、接着してキャップ部材１０の取り付けを終了する。前述のように切断端部には軟質樹脂が残留している場合には、この軟質樹脂が幅木２０に密着して隙間を埋めることになる。
【００２８】
図２のように配線２３が必要な場合には、更に、Ｌ形の角部用切り取り用溝１６にカッターを入れて、長短二辺１２、１３の角部１４を切除する。そして、配線用切欠１ｃから配線２３を外部に引き出した後、前記キャップ部材１０を前述のように取り付ける。
【００２９】
図３は幅木２０がない場合で、壁面２２に沿わせて家具１を配置した後、取付用穴３を設けた後、キャップ部材１０を加工することなくそのまま取り付ける。
【００３０】
図４は家具１の棚１ｔのコーナー部分が切除されて配線用の開口部２が予め用意されている場合で、配線用としてこの開口部２を使用しない場合は、キャップ部材１０を加工をすることなくそのまま取り付けることになる。配線用として使用する場合は、図示していないが、Ｌ形の切り取り用溝１６からコーナー部分を切り取って使用することになる。
【００３１】
側板１ａに嵌め込まれたキャップ部材１０の舌片１８ａ、１８ｂは、開口部２の開口縁にその凹凸が係合して、この部分でもキャップ部材１０が開口部２に固着する。これにより、側板１ａに形成された開口部２はキャップ部材１０に閉塞されることになり、優れた外観を呈する事となる。
【符号の説明】
【００３２】
１     家具
２     開口部
１１   キャップ本体
１２   直線状の辺
１３   直線状の辺
１４   角部
１５   幅木用切り取り用溝
１６   角部用切り取り用溝
２０   幅木
Ｔ     幅木の厚み
【図１】
0005539949.tif 000002
【図２】
0005539949.tif 000003
【図３】
0005539949.tif 000004
【図４】
0005539949.tif 000005
【図５】
0005539949.tif 000006
【図６】
0005539949.tif 000007
【図７】
0005539949.tif 000008